(57)【特許請求の範囲】
【請求項１】
転動部材を保持するための帯状の分割片本体と、前記分割片本体の帯長手方向一端に設けられた凸状の第１連結部と、前記分割片本体の帯長手方向他端に設けられた凹状の第２連結部とを備えた保持器分割片を有し、
前記第１連結部は、前記分割片本体の帯長手方向一端から帯長手方向外方へ突出形成された基端部と、この基端部の先端に形成され且つ前記基端部より幅広である抜け止め部とを備えて構成され、
前記第２連結部は、前記第１連結部が凹凸嵌合できるように、前記第１連結部と同形の凹部として形成され、
複数の前記保持器分割片が前記第１連結部と前記第２連結部の凹凸嵌合によって連結されて環状に形成される転がり軸受用分割型保持器において、
前記第１連結部の前記基端部が、幅方向両側に２つの側面を有しており、
前記第１連結部の前記抜け止め部が、幅方向両側の２つの側面と、前記抜け止め部の先端部の幅が先細りとなるように前記抜け止め部の前記各側面の先端側から傾斜して延びる２つの肩面と、この両肩面の先端側の間にあり且つ幅方向と平行な先端面と、前記基端部の前記各側面の先端側から前記抜け止め部の前記各側面の基端側に向かって幅方向外側に延び且つ前記基端部の前記各側面に対する角度が鋭角に形成された２つの後端面と、を有しており、
前記第２連結部が、前記基端部の前記各側面にそれぞれ対向する２つの第１対向面と、前記抜け止め部の前記各側面にそれぞれ対向する２つの第２対向面と、前記各肩面にそれぞれ対向する２つの第３対向面と、前記先端面に対向する第４対向面と、前記各後端面にそれぞれ対向する２つの第５対向面と、を有しており、
前記第１連結部と前記第２連結部とを嵌合させたときに、前記先端面と前記第４対向面との間及び前記各後端面と前記各第５対向面との間に隙間がなく且つ前記各肩面と前記各第３対向面との間に隙間を有するように、前記第１連結部と前記第２連結部とが形成されていることを特徴とする転がり軸受用分割保持器。
【請求項２】
前記第１連結部と前記第２連結部とを嵌合させたときに、前記基端部の前記各側面と前記各第１対向面との間及び前記抜け止め部の前記各側面と前記各第２対向面との間に隙間がなくなるように、前記第１連結部及び第２連結部が形成されていることを特徴とする請求項１記載の転がり軸受用分割型保持器。
【発明の詳細な説明】
【０００１】
【発明の属する技術分野】
本発明は、転がり軸受用分割型保持器に関する。
【０００２】
【従来の技術】
ＣＴスキャナー回転ドラム支持用軸受などは、大型であるため、玉を保持する保持器には、分割された複数の分割片を互いに連結して環状に組み立てた分割型保持器が用いられている。従来の分割型保持器には、例えば、特開平９−８８９６８号公報に記載のものがある。
【０００３】
図４は、特開平９−８８９６８号公報に記載の保持器に基づく従来の連結構造を示している。従来の連結構造では、一方の分割片３０に設けられた凸状の第１連結部３１と、他方の分割片３０に設けられた凹状の第２連結部３３とが凹凸嵌合して２つの分割片３０，３０が互いに連結される。
【０００４】
第１連結部３１は、その先端が丸型であり、第２連結部３３もこれに対応して丸型の凹部を有している。
また、従来、第１連結部３１と第２連結部３３とを連結したときに、隣り合う分割片３０，３０の対向面のうち、丸型部分図４において太線で示す部分においては、両対向面間にわずかな隙間が形成されるように第１及び第２連結部の大きさが設定されている。わずかな隙間が存在することで第１連結部３１と第２連結部３３とを嵌合させ易くなっている。
【０００５】
【発明が解決しようとする課題】
保持器に保持された玉は、進み遅れが発生することがあるが、分割型保持器の場合、玉の進み遅れが発生すると、分割片の連結部嵌合が抜けたり、はまったりする。
これは、第１連結部の先端が丸型であるため、分割片同士が離れる方向に力が働くと第２連結部３３が変形しやすく、連結部抜け力が小さいためである。回転中に、連結部３１，３３同士が抜けたり、はまったりすると、異音の発生原因となる。
【０００６】
また、従来の保持器では、隣り合う分割片３０，３０の対向面間にわずかな隙間があるため、この隙間がガタとなり、複数の分割片を連結して環状にすると、全体の形状が図５のように花びら形状となってしまう。このため、高速回転下では保持器が案内面で強く接触し、異音発生の要因となる。
しかも、保持器が花びら形状となると、保持器が案内面で内輪や外輪と強く接触し、保持器摩耗粉が発生しグリースの劣化を促進する。
【０００７】
上記のような従来の問題点に鑑み、本発明は、分割片の連結部における抜け力を高めることを目的とする。また、本発明の他の目的は、異音の発生を防止し低騒音化を図ることにある。
【０００８】
【課題を解決するための手段】
本発明は、上記目的達成のため次の技術的手段を採用した。すなわち、本発明は、転動部材を保持するための帯状の分割片本体と、前記分割片本体の帯長手方向一端に設けられた凸状の第１連結部と、前記分割片本体の帯長手方向他端に設けられた凹状の第２連結部とを備えた保持器分割片を有し、
前記第１連結部は、前記分割片本体の帯長手方向一端から帯長手方向外方へ突出形成された基端部と、この基端部の先端に形成され且つ前記基端部より幅広である抜け止め部とを備えて構成され、
前記第２連結部は、前記第１連結部が凹凸嵌合できるように、前記第１連結部と同形の凹部として形成され、
複数の前記保持器分割片が前記第１連結部と前記第２連結部の凹凸嵌合によって連結されて環状に形成される転がり軸受用分割型保持器において、
前記第１連結部の前記基端部が、幅方向両側に２つの側面を有しており、
前記第１連結部の前記抜け止め部が、幅方向両側の２つの側面と、前記抜け止め部の先端部の幅が先細りとなるように前記抜け止め部の前記各側面の先端側から傾斜して延びる２つの肩面と、この両肩面の先端側の間にあり且つ幅方向と平行な先端面と、前記基端部の前記各側面の先端側から前記抜け止め部の前記各側面の基端側に向かって幅方向外側に延び且つ前記基端部の前記各側面に対する角度が鋭角に形成された２つの後端面と、を有しており、
前記第２連結部が、前記基端部の前記各側面にそれぞれ対向する２つの第１対向面と、前記抜け止め部の前記各側面にそれぞれ対向する２つの第２対向面と、前記各肩面にそれぞれ対向する２つの第３対向面と、前記先端面に対向する第４対向面と、前記各後端面にそれぞれ対向する２つの第５対向面と、を有しており、
前記第１連結部と前記第２連結部とを嵌合させたときに、前記先端面と前記第４対向面との間及び前記各後端面と前記各第５対向面との間に隙間がなく且つ前記各肩面と前記各第３対向面との間に隙間を有するように、前記第１連結部と前記第２連結部とが形成されていることを特徴とする。
【０００９】
第１連結部は、基端部の幅方向両側の側面に対する抜け止め部後端面の角度が鋭角となるように形成され、第２連結部がこの第１連結部と凹凸嵌合するよう同形の凹部であるから、第１連結部が第２連結部から抜けようとしても、抜け止め部後端部と第２連結部との引っ掛かりが強力であり、しかも第１連結部が抜けようとする力は、第２連結部が第１連結部を一層強力に保持する方向に働く。このため、分割片の連結部における抜け力が高まる。
【００１１】
抜け止め部の各肩面と第２連結部の各第３対向面との間に隙間を生じさせることで、凹凸嵌合が容易となって分割型保持器の組立が容易になると共に、抜け止め部の先端面と第２連結部の第４対向面との間及び抜け止め部の各後端面と第２連結部の各第５対向面との間には隙間がなくなるようにしているので、組立を容易にしつつガタの発生を回避することができる。ガタを回避できるため、従来のように保持器が花びら形状となることを防止でき、異音の発生を低減できる。
【００１２】
さらに、前記第１連結部と前記第２連結部とを嵌合させたときに、前記基端部の前記各側面と前記各第１対向面との間及び前記抜け止め部の前記各側面と前記各第２対向面との間に隙間がなくなるように、前記第１連結部及び第２連結部が形成されているのが好ましい。
【００１３】
これによって、分割片の幅方向のガタの発生を防止することができる。
【００１４】
【発明の実施の形態】
以下、図面に基づき、本発明の実施の形態を説明する。図１は、本発明に係る転がり軸受用分割型保持器を構成する保持器分割片１を示している。
保持器分割片１は、円環状の保持器を１２分割した一片であり、全体がプラスチック製である。この保持器分割片１は、帯状の分割片本体２と、分割片本体２の帯長手方向一端に設けられた第１連結部３と、分割片本体２の帯長手方向他端に設けられた第２連結部４とを備えている。
【００１５】
分割片本体２は、長手方向に所定間隔おいて複数のポケット部６を備えている。ポケット部６は、玉又は円筒などの転動部材を保持するために分割片本体２の厚さ方向に貫通した孔として形成されている。
前記第１連結部３は、分割片本体２の帯長手方向一端２ａから長手方向外方へ延長するよう突出形成された凸部であり、前記第２連結部４は、分割片本体２の帯長手方向他端２ｂから長手方向内方へ引っ込んだ凹部である。
【００１６】
第１連結部３と第２連結部４とは凹凸嵌合可能に形成されており、図２及び図３に示すように、一の分割片１ａの第１連結部３と、他の分割片１ｂの第２連結片４とを嵌合させることで２つの分割片１ａ，１ｂを連結でき、同様に１２個の分割片を連結することで円環状の保持器が組み立てられる。
【００１７】
前記第１連結部３は、分割片本体２の帯長手方向一端２ａから外方へ突出形成された基端部８と、前記基端部８の先端側に形成された抜け止め部９とを備えている。
抜け止め部９は、前記基端部８より幅広であり、全体が略矢尻形状とされている。具体的には、幅方向両側に互いに平行な側面９ａ，９ａを有し、これら側面９ａ，９ａの先端側から、幅が先細りテーパ状となるように傾斜した肩面９ｂ，９ｂを有している。更に、抜け止め部９の先端側には幅方向と平行な先端面９ｃが形成され、後端側には、基端部８先端側から前記側面９ａ，９ａまで幅方向両側方に延びる後端面（後端部）９ｄ，９ｄとが形成されている。
【００１８】
前記第２連結部４は、第１連結部３が嵌合できるように、第１連結部３の形状に対応した形状の凹部として形成されている。分割片本体２の長手方向他端２ｂに第２連結部４が形成されていることで、分割片本体２の長手方向他端２ｂは二股状とされている。
【００１９】
具体的には、第２連結部４は、第１連結部３の嵌合時に、第１連結部３の基端部幅方向両側の側面（幅方向端部）８ａ，８ａに対向する第１対向面１１ａ，１１ａと、抜け止め部９の側面９ａ，９ａに対向する第２対向面１２ａ，１２ａと、抜け止め部９の肩面９ｂ，９ｂに対向する第３対向面１２ｂ，１２ｂと、抜け止め部９の先端面９ｃに対向する第４対向面１２ｃと、抜け止め部９の後端面９ｄ，９ｄに対向する第５対向面１２ｄ，１２ｄとを有している。
【００２０】
図３に示すように、抜け止め部９の後端面９ｄ，９ｄは、基端部８の先端から幅が拡がるように幅方向に延びているが、これら後端面９ｄ，９ｄは幅方向ｗと平行に延びるのではなく、分割片本体２側へ向かうように幅方向ｗに対して角度βをもって傾斜しつつ幅方向に延びている。このため、基端部側面（幅方向端部）８ａ，８ａに対する抜け止め部後端面（後端部）９ｄ，９ｄの角度αは鋭角となっている。また、後端面９ｄ，９ｄと対向する第２連結部４の第５対向面１２ｄ，１２ｄも同様に傾斜している。このため、分割片本体２の長手方向他端側２ｂは、かぎ型の係合構造となっている。なお、角度αは７０゜であり、角度βは２０゜である。
【００２１】
連結部３，４の嵌合が外れようとする力が働くと、その力は、矢印ｘで示すように第２連結部４の第１対向面１１ａ，１１ａ同士を近接させる方向に働き、第２連結部４の第１対向面１１ａ，１１ａが第１連結部を把持する把持部として機能する。したがって、第１連結部３が抜けようとしても、抜けにくく分割片連結構造における抜け力が向上する。
【００２２】
図４に示す従来の丸型連結部で抜け力を測定したところ約１１５Ｎであったが、本実施形態の矢尻型連結部３，４では抜け力が約６８０Ｎであり、従来のものに比べて約６倍も抜け力が向上した。
【００２３】
第１連結部３と第２連結部４とを嵌合したときに、第１連結部３の肩面９ｂと、第２連結部４の第３対向面１２ｂとの間にはわずかな隙間が形成される。図３では太線で当該隙間を表している。この隙間は約０．２ｍｍに設定されており、この隙間によって第１連結部３と第２連結部４とを嵌合させるのが容易となっている。
【００２４】
一方、２つの分割片１ａ，１ｂの対向する面のうち、肩面９ｂと第３対向面１２ｂ以外の対向する面２ａ，８ａ，９ａ，９ｃ，９ｄ；２ｂ，１１ａ，１２ａ，１２ｃ，１２ｄには、第１連結部３と第２連結部４とを嵌合したときに、隙間が生じないように第１連結部３と第２連結部の形状が設定されている。例えば、基端部８の幅と、両第１対向面１１ａ，１１ａの間隔とは同一に設定されている。
【００２５】
分割片１ａ，１ｂ間において、環状の保持器の周方向分割片の帯長手方向にガタを生じさせないようにするには、（１）分割片本体２の長手方向一端面２ａと長手方向他端面２ｂとの間、（２）抜け止め部９の先端面９ｃと第４対向面１２ｃとの間、（３）抜け止め部９の後端面９ｄと第５対向面１２ｄとの間、の３カ所のうち、少なくとも２カ所における対向面間に隙間が無ければよく、本実施形態では３カ所すべての対向面間で隙間を無くしている。
【００２６】
また、分割片１ａ，１ｂ間において、環状の保持器の幅方向分割片の帯幅方向にガタを生じさせないようにするには、（４）基端部８の側面８ａ，８ａと第１対向面１１ａとの間、（５）抜け止め部９の側面９ａ，９ａと第２対向面１２ａとの間、の２カ所のうち、少なくとも１カ所における対向面間に隙間が無ければよく、本実施形態では２カ所すべての対向面間で隙間を無くしている。
【００２７】
特に、本実施形態では、かぎ型をなす部分である、（１）分割片本体２の長手方向一端面２ａと長手方向他端面２ｂとの間、（３）抜け止め部９の後端面９ｄと第５対向面１２ｄとの間、（４）基端部８の側面８ａ，８ａと第１対向面１１ａとの間、の三カ所で隙間を無くしてガタを防止している。
【００２８】
以上のような分割片１を組み立てた保持器を１２０ｒ／ｍｉｎで回転させ規定荷重を負荷させて試験を行ったところ、異音の発生は認められなかった。したがって、第１連結部３及び第２連結部４の連結構造が保持器において非常に有効であることが確認された。
【００２９】
なお、本発明は上記実施形態に限定されるものではない。例えば、抜け止め部９形状は矢尻型に限定されるものではなく、側面９ａから先端面９ｃに至る形状は曲面や任意の多角形面とすることができる。また、対向面間の隙間を設ける位置も抜け止め部の形状変更に伴い適宜変更できる。
【００３０】
【発明の効果】
本発明によれば、第１連結部は、基端部の幅方向端部に対する抜け止め部後端部の角度が鋭角となるように形成され、第２連結部がこの第１連結部と凹凸嵌合するよう同形の凹部であるから、第１連結部が第２連結部から抜けようとしても、抜け止め部後端部と第２連結部との引っ掛かりが強力であり、しかも第１連結部が抜けようとする力は、第２連結部が第１連結部を一層強力に保持する方向に働く。このため、分割片の連結部における抜け力が高まる。
【００３１】
また、隣り合う分割片の対向面間に少なくとも一部に隙間を生じさせることで、嵌合が容易となって分割型保持器の組立が容易になると共に、隙間が存在すると対向面間にガタを生じさせる部分には隙間がなくなるようにしているので、組立を容易にしつつガタの発生を回避することができ、異音の発生を低減できる。
【図面の簡単な説明】
【図１】分割型保持器を構成する分割片の平面図である。
【図２】嵌合前の第１連結部及び第２連結部を示す一部平面図である。
【図３】嵌合した第１連結部及び第２連結部を示す一部平面図である。
【図４】従来の連結構造図を示す一部平面図である。
【図５】花びら型となった従来の保持器を示す概念図である。
【符号の説明】
１  保持器分割片
２  分割片本体
３  第１連結部
４  第２連結部
８  基端部
９  抜け止め部
９ｂ  肩面
【図１】
0003933435.tif 000002
【図２】
0003933435.tif 000003
【図３】
0003933435.tif 000004
【図４】
0003933435.tif 000005
【図５】
0003933435.tif 000006